(57)【要約】【課題】顕微鏡装置において、表示器の視認性を向上させる。【解決手段】顕微鏡装置１は、光学系ユニット１０と、この光学ユニット１０が取り付けられ、光学系ユニット１０の光軸方向（Ｚ軸方向）に移動可能な焦準部２０と、試料が載置され、光軸方向（Ｚ軸方向）に直交し且つ互いに直交する２軸方向（Ｘ軸方向及びＹ軸方向）に移動可能なステージ（ＸＹステージ３０）と、ステージ（ＸＹステージ３０）の２軸方向（Ｘ軸方向及びＹ軸方向）における位置情報及び焦準部２０の光軸方向（Ｚ軸方向）における位置情報を表示する表示器４０と、を備え、この表示器４０は、顕微鏡装置１において着脱可能に装着され（取り付け孔５１ｂ，５１ｃ）、且つ、自立するための自立手段（自立棒４６（４５）及び弾性脚部４１ａ，４１ｂ）を有する。【選択図】図５
2016031454.tif 000002
【特許請求の範囲】
【請求項１】
光学系ユニットと、
前記光学ユニットが取り付けられ、前記光学系ユニットの光軸方向に移動可能な焦準部と、
試料が載置され、前記光軸方向に直交し且つ互いに直交する２軸方向に移動可能なステージと、
前記ステージの前記２軸方向における位置情報及び前記焦準部の前記光軸方向における位置情報を表示する表示器と、を備え、
前記表示器は、顕微鏡装置において着脱可能に装着され、且つ、自立するための自立手段を有する、
ことを特徴とする顕微鏡装置。
【請求項２】
前記自立手段は、前記表示器に収納される状態と、前記表示器を自立させる状態とをとることを特徴とする請求項１記載の顕微鏡装置。
【請求項３】
前記表示器は、前記光学系ユニット及び前記焦準部のうち少なくとも一方の状態を、前記ステージの前記位置情報及び前記焦準部の前記位置情報に加えて更に表示することを特徴とする請求項１又は２記載の顕微鏡装置。
【請求項４】
前記表示器は、前記顕微鏡装置の一方側及び他方側に着脱可能に装着されることを特徴とする請求項１から３のいずれか１項記載の顕微鏡装置。
【請求項５】
前記表示器は、取り付け位置を調整可能に装着されることを特徴とする請求項１から４のいずれか１項記載の顕微鏡装置。
【請求項６】
前記自立手段は、前記表示器の傾きを調整可能であることを特徴とする請求項１から５のいずれか１項記載の顕微鏡装置。
【発明の詳細な説明】
【技術分野】
【０００１】
本発明は、表示器を備える顕微鏡装置に関する。
【背景技術】
【０００２】
従来、微細な試料を観察したり、観察像をビデオ画像として記録したりすることのできる顕微鏡装置は、生物分野の研究をはじめ、工業分野の検査工程などで幅広く利用されている。
【０００３】
顕微鏡装置のうち測定顕微鏡は、試料の測定精度を保証した顕微鏡装置であり、一般的には、互いに直交するＸＹＺの各軸にスケールを搭載している。このような測定顕微鏡は、各軸の移動量をスケールで検知し、スケール信号を演算部によって処理し、位置情報を表示器に表示する。これにより、使用者は表示器に表示された位置情報を読み取り、測定を行う。
【０００４】
上記の表示器は、例えば支柱の側面に取り付けられる。また、表示器が、鉛直方向に移動可能な焦準部の側面に取り付けられ且つ水平方向及び鉛直方向の各軸に対して回転可能である測定顕微鏡が知られている（例えば、特許文献１参照）。
【先行技術文献】
【特許文献】
【０００５】
【特許文献１】特開平９−１２６７１４号公報
【発明の概要】
【発明が解決しようとする課題】
【０００６】
しかしながら、支柱の側面に取り付けられた表示器は、使用者の目の位置や見る角度によっては視認性が悪いという問題がある。
また、焦準部の側面に取り付けられた表示器は、使用者の最も視認性が良いと感じる位置が合焦位置とは限らず、また、使用者の最も視認性が良い位置に焦準部が移動した場合、合焦位置から外れてしまう。
【０００７】
本発明の目的は、表示器の視認性を向上させることができる顕微鏡装置を提供することである。
【課題を解決するための手段】
【０００８】
１つの態様では、顕微鏡装置は、光学系ユニットと、前記光学ユニットが取り付けられ、前記光学系ユニットの光軸方向に移動可能な焦準部と、試料が載置され、前記光軸方向に直交し且つ互いに直交する２軸方向に移動可能なステージと、前記ステージの前記２軸方向における位置情報及び前記焦準部の前記光軸方向における位置情報を表示する表示器と、を備え、前記表示器は、顕微鏡装置において着脱可能に装着され、且つ、自立するための自立手段を有する。
【発明の効果】
【０００９】
前記態様によれば、表示器の視認性を向上させることができる。
【図面の簡単な説明】
【００１０】
【図１】本発明の第１実施形態に係る、表示器が装着された顕微鏡装置を示す斜視図である。
【図２】本発明の第１実施形態における表示器を示す正面図である。
【図３】本発明の第１実施形態における表示器を示す背面図である。
【図４】本発明の第１実施形態における自立した表示器を示す右側面図である。
【図５】本発明の第１実施形態に係る、表示器が自立した顕微鏡装置を示す斜視図である。
【図６】本発明の第１実施形態の変形例における表示器を示す背面図である。
【図７】本発明の第２実施形態における表示器、焦準部、及び顕微鏡本体を示す斜視図である。
【図８】本発明の第２実施形態における表示器を示す背面図である。
【図９】図８のIX−IX断面図である。
【図１０】本発明の第３実施形態に係る、表示器が装着された顕微鏡装置を示す斜視図である。
【図１１】本発明の第４実施形態における自立した表示器を示す右側面図である。
【発明を実施するための形態】
【００１１】
以下、本発明の実施形態に係る顕微鏡装置について、図面を参照しながら説明する。
＜第１実施形態＞
図１は、本発明の第１実施形態に係る、表示器４０が装着された顕微鏡装置１を示す斜視図である。
【００１２】
図２及び図３は、第１実施形態における表示器４０を示す正面図及び背面図である。
図４は、第１実施形態における自立した表示器４０を示す右側面図である。
図１に示すように、顕微鏡装置１は、光学系ユニット１０と、焦準部２０と、ステージの一例であるＸＹステージ３０と、表示器４０と、を備える。また、顕微鏡装置１は、顕微鏡本体５０と、コントローラ６０と、を更に備える。顕微鏡装置１は、例えば測定顕微鏡である。
【００１３】
光学系ユニット１０は、レボルバ１１と、落射照明部１２と、オートフォーカスユニット１３と、鏡筒１４と、接眼レンズ１５と、を有する。また、光学系ユニット１０は、後述する焦準部２０に取り付けられている。
【００１４】
レボルバ１１は、回転自在であり、拡大率の異なる複数の対物レンズが配置される。落射照明部１２は、レボルバ１１の上部に配置されている。また、オートフォーカスユニット１３は、落射照明部１２の上部に配置されている。更には、鏡筒１４は、オートフォーカスユニット１３の上部に配置されている。接眼レンズ１５は、鏡筒１４から前方斜め上方に突出するように配置されている。
【００１５】
焦準部２０は、例えば、後述する顕微鏡本体５０の支柱５１の前面に設けられた一対のガイド５１ａに沿って、光学系ユニット１０の光軸方向（鉛直方向であるＺ軸方向）に移動可能である。焦準部２０のＺ軸方向の距離（移動量）は、例えば支柱５１に内蔵されたＺ軸スケールによって測定可能である。
【００１６】
焦準部２０が電動で移動する場合には、焦準部２０は、後述するコントローラ６０により制御される。なお、焦準部２０は、準焦ハンドルを用いて手動で光軸方向（Ｚ軸方向）に移動可能であってもよい。
【００１７】
ＸＹステージ３０は、試料が載置され、光学系ユニット１０の光軸方向（Ｚ軸方向）に直交し且つ互いに直交する２軸方向（水平方向であるＸ軸方向及びＹ軸方向）に移動可能である。ＸＹステージ３０には、Ｙ軸方向の位置を調整するためのＹ軸ハンドル３１と、Ｘ軸方向の位置を調整するためのＸ軸ハンドル３２とが設けられている。
【００１８】
なお、ＸＹステージ３０には、Ｘ軸スケール及びＹ軸スケールが内蔵され、これらＸ軸スケール及びＹ軸スケールによってＸ軸方向及びＹ軸方向の距離（移動量）を測定可能である。
【００１９】
図２〜図４に示す表示器４０は、上記のＸ軸スケール、Ｙ軸スケール、及びＺ軸スケールの測定信号に基づきコントローラ６０が演算処理した位置情報を表示する。このように、表示器４０は、ＸＹステージ３０のＸ軸方向及びＹ軸方向における位置情報、及び、焦準部２０のＺ軸方向における位置情報を表示する。なお、表示器４０には、コントローラ６０が一体に設けられていてもよい。
【００２０】
図２〜図４に示すように、表示器４０は、筐体４１と、表示パネル４２と、操作入力部４３と、状態表示点灯部４４と、自立手段の一例である自立棒４５，４６と、を有する。
筐体４１の下端には、自立棒４５，４６とともに、表示器４０が自立するための自立手段の一例として機能する弾性脚部４１ａ，４１ｂが設けられている。図３に示すように、筐体４１の背面には、自立棒４５，４６が挿入される自立棒用ネジ孔４１ｃ，４１ｄが設けられている。
【００２１】
また、図４に示すように、筐体４１の左側面には、表示器４０を支柱５１に装着するための取り付け孔４１ｅ，４１ｆが設けられている。この取り付け孔４１ｅ，４１ｆによって、表示器４０は、顕微鏡装置１（本第１実施形態では支柱５１の右側面）において着脱可能に装着される。
【００２２】
なお、表示器４０は、例えばマグネットなどの他の手段によって顕微鏡装置１において着脱可能に装着されてもよい。また、表示器４０は、支柱５１以外の他の部分、例えば、ベース５２、光学系ユニット１０、焦準部２０等に着脱可能に装着されてもよい。
【００２３】
図２に示すように、表示パネル４２は、筐体４１の前面に設けられ、Ｘ軸方向、Ｙ軸方向、及びＺ軸方向の位置情報を表示する。
操作入力部４３は、Ｘ軸方向リセットボタン４３ａと、Ｙ軸方向リセットボタン４３ｂと、Ｚ軸方向リセットボタン４３ｃと、を含む。これらのボタン４３ａ〜４３ｃが押下されることで、表示パネル４２の位置情報の値がリセットされる。操作入力部４３の一例としては、上記の各リセットボタン４３ａ〜４３ｃが挙げられるが、表示パネル４２がタッチパネルであれば表示パネル４２も操作入力部の一例として機能する。
【００２４】
状態表示点灯部４４は、光学系ユニット１０の例えば、落射照明部１２による照明の種類やオートフォーカスユニット１３の追従モードなどの状態、及び、焦準部２０の例えば、Ｚ軸方向の下限位置や手動調整の状態を表示する。このように、表示器４０は、表示パネル４２におけるＸＹステージ３０の位置情報及び焦準部２０の位置情報に加えて、状態表示点灯部４４において、光学系ユニット１０及び焦準部２０の状態を更に表示する。なお、これらの光学系ユニット１０及び焦準部２０の状態は、表示パネル４２等の他の部分に表示されてもよいし、或いは、点灯以外の他の態様で表示されてもよい。
【００２５】
図３に示すように、自立棒４５，４６の一端には、弾性脚部４５ａ，４６が設けられている。また、自立棒４５，４６の他端には、自立棒用ネジ孔４１ｃ，４１ｄに挿入されるネジ部４５ｂ，４６ｂが設けられている。
【００２６】
自立棒４５，４６は、例えば筐体４１の上部に設けられた孔に上方から挿入されることで表示器４０に収納される状態（Ｓ１）と、図４に示すように自立棒用ネジ孔４１ｃ，４１ｄに挿入されることで弾性脚部４１ａ，４１ｂとともに表示器４０を自立させる状態（Ｓ２）と、をとる。なお、自立棒４５，４６は、表示器４０に収納される状態（Ｓ１）と表示器４０を自立させる状態（Ｓ２）との間を、例えば筐体４１との傾斜角度が可変になるように回動や、伸縮するなど、着脱しない他の方法で状態遷移してもよい。
【００２７】
表示器４０は、自立した状態（Ｓ２）では、図５に示すように、顕微鏡装置１の顕微鏡本体５０等とは独立して自立する。なお、表示器４０が自立した状態では、支柱５１の右側面には、表示器４０が取り付けられる取り付け孔５１ｂ，５１ｃが露出する。
【００２８】
２つの自立棒４５，４６のうち一方は、操作入力部４３の少なくとも１つ（例えば図３にかくれ線である破線で示す各ボタン４３ａ〜４３ｃ）が配置された領域の背面側又はその近傍（例えば１０ｍｍ以内の領域）に位置することが望ましい。或いは、２つの自立棒４５，４６のうち一方は、操作入力部４３の少なくとも１つが配置された領域の背面側又はその近傍の上方又は下方に位置してもよい。これらの場合、操作入力部４３が押下或いはタッチされた際に表示器４０を安定させることができる。
【００２９】
なお、図６（変形例）に示すように、表示器４０−１の自立棒４５，４６−１は、例えば一方の自立棒４６−１の長さ（Ｌ１２）が他方の自立棒４５の長さ（Ｌ１１）よりも長くなるようにするとよい（Ｌ１２＞Ｌ１１）。この場合、自立棒４６−１が筐体４１の弾性脚部４１ａ，４１ｂとともに机上に対し３点接触することで表示器４０が安定する。また、長い方の自立棒４６−１が、上述のように、操作入力部４３の少なくとも１つが配置された領域の背面側若しくはその近傍又はこれらの上方若しくは下方に位置することがより望ましい。
【００３０】
本第１実施形態では、表示器４０が自立するための自立手段の一例として自立棒４５，４６及び弾性脚部４１ａ，４１ｂを用いているが、表示器４０を自立させるものであれば他の部材を用いてもよい。また、弾性脚部４１ａ，４１ｂのみによって表示器４０が自立してもよい。また、自立棒４５,４６の長さのうち、少なくとも一方を伸縮可能とすることで、常に、机に対して４点接触となるように調整できる。また、表示器４０を配置する机等の状態に応じて、３点接触と４点接触を自在に設定できるようにしてもよい。
【００３１】
図１及び図５に示すように、顕微鏡本体５０は、支柱５１と、ベース５２と、を有する。
支柱５１は、焦準部２０をガイドする一対のガイド５１ａが前面に設けられている。上述のように、支柱５１の右側面には、表示器４０が取り付けられる取り付け孔５１ｂ，５１ｃが設けられている。また、ベース５２の上部には、ＸＹステージ３０が設置される。
【００３２】
コントローラ６０は、上記のＸ軸スケール、Ｙ軸スケール、及びＺ軸スケール、光学系ユニット１０、表示器４０などと例えばケーブルによって接続されている。
コントローラ６０は、上述のように、Ｘ軸スケール、Ｙ軸スケール、及びＺ軸スケールの測定信号に基づき演算処理した出力信号である位置情報を表示器４０の表示パネル４２に表示する。また、コントローラ６０は、光学系ユニット１０、焦準部２０、表示器４０等を制御するとともに、光学系ユニット１０や焦準部２０の状態を表示器４０の状態表示点灯部４４に表示する。
【００３３】
以下、顕微鏡装置１の特に表示器４０の使用方法について説明する。
まず、図１に示すように表示器４０が顕微鏡装置１に装着される場合、表示器４０は、図４に示す取り付け孔４１ｅ，４１ｆにおいてネジにより支柱５１の右側面（図５に示す取り付け孔５１ｂ，５１ｃ）に取り付けられる。また、図３に示すように、自立棒４５，４６は表示器４０に収納される（状態Ｓ１）。
【００３４】
コントローラ６０は、電源をＯＮされ、上述のように、Ｘ軸スケール、Ｙ軸スケール、及びＺ軸スケールの測定信号に基づき演算処理した出力信号である位置情報を表示器４０の表示パネル４２に表示する。また、コントローラ６０は、光学系ユニット１０、焦準部２０、表示器４０等を制御するとともに、光学系ユニット１０や焦準部２０の状態を表示器４０の状態表示点灯部４４に表示する。
【００３５】
使用者は、表示パネル４２の各軸スケールの測定値（位置情報）や状態表示点灯部４４の点灯状態（例えばオートフォーカスユニット１３の追従モード）を見ながら、顕微鏡装置１を操作する。また、使用者は、表示パネル４２の各軸スケールの測定値をリセットする場合には、操作入力部４３のＸ軸方向リセットボタン４３ａ、Ｙ軸方向リセットボタン４３ｂ、又はＺ軸方向リセットボタン４３ｃを押下する。
【００３６】
次に、図５に示すように表示器４０を自立させる場合、表示器４０は、取り付け孔４１ｅ，４１ｆのネジが外され、支柱５１の右側面（取り付け孔５１ｂ，５１ｃ）から取り外される。そして、図４に示すように、自立棒４５，４６がネジ部４５ｂ，４６ｂにおいて自立棒用ネジ孔４１ｃ，４１ｄに挿入されることで、自立棒４５，４６は、弾性脚部４１ａ，４１ｂとともに表示器４０を自立させる（状態Ｓ２）。
【００３７】
なお、コントローラ６０が表示器４０とケーブルによって接続されている場合には、ケーブルの長さが許す限り、表示器４０は自由な位置に設置可能である。また、コントローラ６０が無線で表示器４０と接続されている場合や、表示器４０にコントローラ６０が内蔵されている場合には、表示器４０はケーブルによらず自由な位置に設置可能である。
【００３８】
以上説明した本第１実施形態では、顕微鏡装置１は、光学系ユニット１０と、焦準部２０と、ステージの一例であるＸＹステージ３０と、表示器４０と、を備える。光学系ユニット１０は、焦準部２０に取り付けられている。焦準部２０は、光学系ユニット１０の光軸方向（Ｚ軸方向）に移動可能である。ＸＹステージ３０は、試料が載置され、光軸方向（Ｚ軸方向）に直交し且つ互いに直交する２軸方向（Ｘ軸方向及びＹ軸方向）に移動可能である。表示器４０は、ＸＹステージ３０の２軸方向（Ｘ軸方向及びＹ軸方向）における位置情報及び焦準部２０の光軸方向（Ｚ軸方向）における位置情報を表示する。また、表示器４０は、顕微鏡装置１において着脱可能に装着され、且つ、自立するための自立手段の一例である自立棒４５，４６及び弾性脚部４１ａ，４１ｂを有する。
【００３９】
そのため、使用者は、表示器４０を顕微鏡装置１に装着することができるとともに、表示器４０を顕微鏡装置１の顕微鏡本体５０等とは独立して自立させることができる。このように、表示器４０の設置の自由度が高まる。よって、本第１実施形態によれば、表示器４０の視認性を向上させることができる。
【００４０】
また、本第１実施形態では、自立手段の一例である自立棒４５，４６は、表示器４０に収納される図３に示す状態（Ｓ１）と、図４に示す表示器４０を自立させる状態（Ｓ２）とをとる。そのため、表示器４０が顕微鏡装置１の支柱５１等に装着される場合には、自立棒４５，４６を収納することで、表示器４０をコンパクトにすることができる。
【００４１】
また、本第１実施形態では、表示器４０は、例えば状態表示点灯部４４において、光学系ユニット１０及び焦準部２０のうち少なくとも一方の状態を、例えば表示パネル４２におけるＸＹステージ３０の位置情報及び焦準部２０の位置情報に加えて更に表示する。そのため、表示器４０の設置の自由度の観点のみならず表示器４０の表示内容の観点からも、表示器４０の視認性を向上させることができる。
【００４２】
＜第２実施形態＞
本第２実施形態では、表示器４０−２が、顕微鏡装置１の一方側（例えば支柱５１の右側面）のみならず、他方側（例えば支柱５１の左側面）にも着脱可能に装着される。その他の事項については、上述の第１実施形態と同様であるため、本第２実施形態の詳細な説明は省略する。
【００４３】
図７は、本発明の第２実施形態における表示器４０−２、焦準部２０、及び顕微鏡本体５０を示す斜視図である。
図８は、第２実施形態における表示器４０−２を示す背面図である。
【００４４】
図９は、図８のIX−IX断面図である。
図７に示すように、表示器４０−２は、上述の第１実施形態と同様に支柱５１の右側面に設けられた取り付け孔５１ｂ，５１ｃ（顕微鏡装置１の一方側の一例）に取り付け可能であるとともに、支柱５１の左側面（顕微鏡装置１の他方側の一例）にも取り付け可能である。
【００４５】
なお、顕微鏡装置１の一方側及び他方側としては、顕微鏡装置１の少なくとも一部、例えば、顕微鏡本体５０、焦準部２０、光学系ユニット１０、又はＸＹステージ３０を挟んだ両側が一例として挙げられる。表示器４０−２が装着される位置が顕微鏡装置１の一方側及び他方側であれば、表示器４０−２の装着対象は、例えば、顕微鏡装置１の一方側では支柱５１に取り付けられ、他方側では焦準部２０に取り付けられる場合などのように、同一部材でなくともよい。
【００４６】
図８に示すように、表示器４０−２の背面右端（図８では背面図なので左側）には、例えばＬ字板状の他方側取り付け用保持部材４７が取り付けられている。この他方側取り付け用保持部材４７は、筐体４１の背面に例えば溶接により固定される部分と、この固定される部分の右端から後方に突出する部分とがＬ字形状をなす。後方に突出する部分には、図８及び図９に示すように、取り付け孔４７ａ，４７ｂが設けられている。この取り付け孔４７ａ，４７ｂによって、表示器４０−２は、支柱５１の左側面に着脱可能に装着される。
【００４７】
以上説明した本第２実施形態では、上述の第１実施形態の効果である、表示器４０−２の視認性を向上させることができるなどの効果を得ることができる。
更には、本第２実施形態では、表示器４０−２が、顕微鏡装置１の一方側及び他方側に着脱可能に装着されるため、表示器４０−２の設置の自由度が更に高まり、表示器４０−２の視認性をより一層向上させることができるという効果を得ることもできる。
【００４８】
＜第３実施形態＞
本第３実施形態では、表示器４０が、取り付け位置を調整可能に装着される。その他の事項については、上述の第１実施形態及び第２実施形態と同様にすることができるため、本第３実施形態の詳細な説明は省略する。
【００４９】
図１０は、本発明の第３実施形態に係る、表示器４０が装着された顕微鏡装置２を示す斜視図である。
顕微鏡本体５０の支柱５１には、Ｚ軸方向に長い長孔５１ｄが設けられている。
【００５０】
表示器４０は、長孔５１ｄの任意の位置に、例えば支柱５１の後方から配置されるナットと、ネジとより取り付けられる。このように、表示器４０は、取り付け位置を調整可能である。
【００５１】
なお、支柱５１の側面に複数の取り付け孔が設けられることなどによって、表示器４０の取り付け位置を調整可能にしてもよい。更には、上述の第２実施形態のように表示器４０が顕微鏡装置２の一方側及び他方側に着脱可能に装着され、且つ、顕微鏡装置２の一方側及び他方側のそれぞれにおいて表示器４０の取り付け位置が調整可能であってもよい。
【００５２】
以上説明した本第３実施形態では、上述の第１実施形態の効果である、表示器４０の視認性を向上させることができるなどの効果や、第２実施形態の効果を得ることができる。
更には、本第３実施形態では、表示器４０が、取り付け位置を調整可能に装着されるため、表示器４０の設置の自由度が更に高まり、表示器４０の視認性をより一層向上させることができるという効果を得ることもできる。
【００５３】
＜第４実施形態＞
本第４実施形態では、自立手段の一例である自立棒４５，４６，４８，４９が、表示器４０−３の傾きを調整可能である。その他の事項については、上述の第１実施形態、第２実施形態、及び第３実施形態と同様にすることができるため、本第４実施形態の詳細な説明は省略する。
【００５４】
図１１は、本発明の第４実施形態における自立した表示器４０−３を示す右側面図である。
表示器４０−３は、図１１（ａ）に示す長さＬ２１の自立棒４５，４６と、この自立棒４５，４６よりも短い図１１（ｂ）に示す長さＬ２２（＜Ｌ２１）の自立棒４８，４９と、を有する。なお、本第４実施形態においても、自立棒４５，４６，４８，４９の一端には、弾性脚部４５ａ，４６ａ，４８ａ，４９ａが設けられている。
【００５５】
表示器４０は、図１１（ａ）に示す長さＬ２１の自立棒４５，４６が取り付けられた状態と、図１１（ｂ）に示す長さＬ２２の自立棒４８，４９が取り付けられた状態とで、傾きを調整可能である。なお、表示器４０−３が自立した状態においても、取り付けられていない状態の自立棒４５，４６又は４８，４９は、表示器４０−３に収納される。
【００５６】
表示器４０−３の傾きを調整可能とするためには、例えば、自立棒４５，４６を伸縮可能としてもよいし、或いは、自立棒４５，４６の筐体４１に対する取り付け位置を調整可能にしてもよい。
【００５７】
以上説明した本第４実施形態では、上述の第１実施形態の効果である、表示器４０−３の視認性を向上させることができるなどの効果や、第２実施形態及び第３実施形態の効果を得ることができる。
【００５８】
更には、本第４実施形態では、自立手段の一例である自立棒４５，４６，４８，４９が、表示器４０−３の傾きを調整可能であるため、表示器４０−３を使用者が見やすい角度に調整することができる。したがって、表示器４０の視認性をより一層向上させることができるという効果を得ることもできる。
【符号の説明】
【００５９】
１，２      顕微鏡装置
１０      光学系ユニット
１１      レボルバ
１２      落射照明部
１３      オートフォーカスユニット
１４      鏡筒
１５      接眼レンズ
２０      焦準部
３０      ＸＹステージ
３１      Ｙ軸ハンドル
３２      Ｘ軸ハンドル
４０      表示器
４１      筐体
４１ａ，４１ｂ      弾性脚部
４１ｃ，４１ｄ      自立棒用ネジ孔
４１ｅ，４１ｆ      取り付け孔
４２      表示パネル
４３      操作入力部
４３ａ      Ｘ軸方向リセットボタン
４３ｂ      Ｙ軸方向リセットボタン
４３ｃ      Ｚ軸方向リセットボタン
４４      状態表示点灯部
４５，４６      自立棒
４５ａ，４６ａ      弾性脚部
４５ｂ，４６ｂ      ネジ部
４７      他方側取り付け用保持部材
４７ａ，４７ｂ      取り付け孔
４８，４９      自立棒
４８ａ，４９ａ      弾性脚部
５０      顕微鏡本体
５１      支柱
５１ａ      ガイド
５１ｂ，５１ｃ      取り付け孔
５１ｄ  長孔
５２      ベース
６０      コントローラ
【図１】
2016031454.tif 000003
【図２】
2016031454.tif 000004
【図３】
2016031454.tif 000005
【図４】
2016031454.tif 000006
【図５】
2016031454.tif 000007
【図６】
2016031454.tif 000008
【図７】
2016031454.tif 000009
【図８】
2016031454.tif 000010
【図９】
2016031454.tif 000011
【図１０】
2016031454.tif 000012
【図１１】
2016031454.tif 000013